(57)【要約】【課題】各々番号器Ｂを蟻バー部１１に直接嵌着固定せずに間接的に嵌着固定することにより印刷機上での密着不良修正作業の時間と労力を大幅に軽減させる。【解決手段】往復移動する版定盤面上に載置したチェース内にチェース型番号器を固定配置して番号印刷を行うチェース型番号器取付用ホルダーにおいて、チェース型番号器Ｂを１個ずつ上方より嵌入可能な対向する一対の側面板１、２と、該一対の側面板１、２と直交する方向に対向する一対の他の側面板３、４と、前記一対の側面板１、２のいずれか一方若しくは両方にネジ孔８と、前記一対の他の側面板３、４のうち一つの側面板３に蟻バー部１１をスライド可能に嵌挿する蟻溝部５と、他の一つの側面板４に番号輪ラチェット爪動作杆嵌挿用の空間部４ａをそれぞれ設けた番号器嵌挿用の矩形状枠体Ａを備え、該矩形状枠体Ａの蟻溝部５に蟻バー部１１を嵌挿してチェースの対向する両端枠部に取付け固定する。【選択図】図２
2004249472.tif 000002
【特許請求の範囲】
【請求項１】
往復移動する平坦な版定盤と円形状の圧胴とを備えた円圧式凸版印刷機の前記版定盤面上に載置したチェース内の所定位置にチェース型番号器を固定配置して番号印刷を行うチェース型番号器取付用ホルダーにおいて、チェース型番号器を１個ずつ上方より嵌入可能な対向する一対の側面板と、該一対の側面板と直交する方向に対向する一対の他の側面板と、前記一対の側面板のいずれか一方若しくは両方にネジ孔と、前記一対の他の側面板のうち一つの側面板に蟻バー部１１をスライド可能に嵌挿する蟻溝部と他の一つの側面板に番号輪ラチェット爪動作杆嵌挿用の空間部をそれぞれ設けた番号器嵌挿用の矩形状枠体を備え、該矩形状枠体の蟻溝部に蟻バー部を嵌挿してチェースの対向する両端枠部に取付け固定するとともに、該矩形状枠体の一対及び他の一対の各側面板の下端面を定盤面に接するように載置した後、番号器を上方より該矩形状枠体内の定盤面に落とし込み、前記側面板のネジ孔にネジを螺着して番号器を締め付け固定することを特徴とするチェース型番号器取付用ホルダー。
【発明の詳細な説明】
【０００１】
【発明の属する技術分野】
本発明は、円圧式凸版印刷機にて番号印刷を行うためのチェース型番号器取付用ホルダーに関し、印刷機版定盤面上に載置したチェース内の所定位置にチェース型番号器を固定配置して番号印刷を行うためのチェース型番号器取付用ホルダーに関する。
【０００２】
【従来の技術】
円圧式凸版印刷機にて番号印刷を行うための一般的なチェース型番号器を取り付ける矩形状のチェースＣは、図３の斜視図に示すように、対向する一対の枠体７１、７１と、それに直交する方向の枠体７２と、それと対向する枠体７３とによる矩形状の枠体部が設けられ、また、該枠体７３より外側の前記一対の枠体７１、７１端部の裏面には底板７０が架設され、該底板７０上には前記枠体７３外側に平行にバネ７５ａ（弾性体）を介して可動枠体７５が設けられ、該可動枠体７５の外側の底板７０上には、両側一対のシフトアーム７７、７７がその一端部を支点７７ａを介して取り付けられ、各々アーム７７の他端部には支点７７ｃを介してブラケット７８が取り付けられ、該ブラケット７８にはプッシャー７９が取り付けられている。
【０００３】
上記チェースＣは、一旦、後述する円圧式凸版印刷機の平坦な版定盤と同様の平坦な金属定盤を備えた作業台上に載置され、チェースＣの各枠体７１、７１、７２、７３で囲まれた矩形状の枠体部内の定盤上には、対向する枠体７２、７３のそれぞれ溝部７２ａ、７４にブラケット１１ａを介して取り付けられる直線状の各蟻バー部１１を、図４に示すように複数個の各番号器Ｂに設けた蟻溝部３０内に嵌挿し、ネジ３１にて止めし、各番号器Ｂが各蟻バー部１１に沿って配列されて、チェースＣに取り付け固定される。
【０００４】
そして、配列された各番号器Ｂの蟻溝部と対向する側面部に突出して設けた字輪回転用のラチェット爪動作杆２９に、該動作杆２９を１列毎に一度に１ストローク動作させるシフト杆１５を、蟻バー部１１と平行に配置して、そのシフト杆１５に沿って位置の移動調整とネジ１８にて固定が可能な動作鉤１６の嵌着部１７内に嵌着し、該シフト杆１５の一端部をブラケット１５ａを介して可動枠体７５の溝部７６に取り付け固定する。
【０００５】
上記チェースＣを載置する一般的な円圧式凸版印刷機は、図５の側面図に示すように、圧胴４１と、圧胴４１の下側を水平に往復動作する平坦な版定盤４２とを備えた印刷機であり、番号機Ｂを取り付け固定したチェースＣが、作業台から印刷機の版定盤４２上に移載され、版定盤４２に設けたチェースＣを装着するチャック機構により、チェースＣが版定盤４２に装着固定される。
【０００６】
上記印刷機は、印刷用紙Ｐを１枚ずつ順次給紙部４３から給紙装置４４によりプレス紙４１ａを胴周面に巻いた回転する圧胴４１の咥爪４１ｂに咥えさせて供給し、他方、版定盤４２は、圧胴４１と同期的に回転する回転部５１と、その偏心位置５１ａに軸支した揺動アーム５２の先端部に軸支したピニオンギア５３の上下に平行に噛み合う固定ラックギア５４（本体フレーム５０に固定）と版定盤４２を固定支持する複数のコロ６２を備えた可動フレーム６１（コロ６２はレール６０上に沿って滑動）に取り付けた移動ラックギア６３とにより、版定盤４２を往復移動させる。
【０００７】
これにより、インキングローラ群４５により供給されるインキをインキ着けローラ群４６にて移動する版定盤４２上の番号機Ｂの各番号字輪に付着させ、圧胴４１によりその周面の印刷用紙Ｐを版定盤４２上の番号機Ｂの各番号字輪に押圧して、印刷用紙Ｐを咥えた圧胴１の回転と版定盤４２の往復移動により印刷用紙Ｐに番号印刷を行い、印刷用紙Ｐは、その後、デリバリチェーン４７、４８に受け渡されて排紙部４９に集積される。
【０００８】
上記印刷機の往復移動する版定盤４２の後方には、ストッパー８１が作動・不作動（上昇動作、下降回避）可能に設けられており、版定盤４２の復路（図面左方向への移動）終点から往路に変換する際に、プッシャー７９がストッパー８１に当接し、図３に示すシフトアーム７７（作用突起７７ｂ）が可動枠体７５の前面部７５ａに当接し、該可動枠体７５を枠体７３方向にバネ７５ａに抗して押圧し、可動枠体７５に取り付けたシフト杆１５が１ストローク動作して、番号器Ｂの字輪を回転させ、番号をシフトさせるものである。
【０００９】
【発明が解決しようとする課題】
上記従来のチェース型番号器取付用ホルダーは、蟻バー部１１に直接、各々番号器Ｂの側面部に設けた蟻溝部３０を嵌着固定して、版定盤４２面に各々番号器Ｂを配列固定する方式であるため、蟻バー部１１の両端をチェースＣのそれぞれ枠体７２、７３に取り付け固定した際に、蟻バー部１１の長手方向に沿う下端と平坦な版定盤４２面とが良好な状態で密着せず、蟻バー部１１の下端と版定盤４２面との間に僅かな隙間ができ、それに伴い、蟻バー部１１に固定配列された番号器Ｂの下端面も版定盤４２面に良好に密着せず、番号器Ｂの下端面と版定盤４２面との間に隙間が発生する場合があり、そのために、圧胴４１と版定盤４２面上の各番号器Ｂの字輪２６との間の印圧が不安定となる場合があった。
【００１０】
このような各番号器Ｂの下端面と版定盤４２面との密着不良による隙間を除去するため、密着不良の発生している番号器Ｂの蟻バー部と蟻溝部との間の上側の嵌着界面に隙間分に相当する薄紙を挟んで、その番号器Ｂを薄紙の厚さ分だけ下方に下げることにより密着不良による隙間を除去しており、このような密着不良の印刷機上での修正作業には多大の時間と労力を必要としていた。
【００１１】
本発明の課題は、各々番号器を蟻バー部に直接、嵌着固定せずに、間接的に嵌着固定することにより、印刷機上での密着不良修正作業の時間と労力を大幅に軽減することにある。
【００１２】
【課題を解決するための手段】
本発明は、往復移動する平坦な版定盤と円形状の圧胴とを備えた円圧式凸版印刷機の前記版定盤面上に載置したチェース内の所定位置にチェース型番号器を固定配置して番号印刷を行うチェース型番号器取付用ホルダーにおいて、チェース型番号器Ｂを１個ずつ上方より嵌入可能な対向する一対の側面板１、２と、該一対の側面板１、２と直交する方向に対向する一対の他の側面板３、４と、前記一対の側面板１、２のいずれか一方若しくは両方にネジ孔８と、前記一対の他の側面板３、４のうち一つの側面板３に蟻バー部１１をスライド可能に嵌挿する蟻溝部５と、他の一つの側面板４に番号輪ラチェット爪動作杆嵌挿用の空間部４ａをそれぞれ設けた番号器嵌挿用の矩形状枠体Ａを備え、該矩形状枠体Ａの蟻溝部５に蟻バー部１１を嵌挿してチェースＣの対向する両端枠部に取付け固定するとともに、該矩形状枠体Ａの一対及び他の一対の各側面板１、２、３、４の下端面を定盤面に接するように載置した後、番号器Ｂを上方より該矩形状枠体Ａ内の定盤面に落とし込み、前記側面板１、２のいずれか一方のネジ孔８にネジ９を螺着して番号器Ｂを締め付け固定することを特徴とするチェース型番号器取付用ホルダーである。
【００１３】
【発明の実施の形態】
本発明のチェース型番号器取付用ホルダーの実施の形態を、図１、図２に従って以下に詳細に説明すれば、図１（ａ）の上面図、図１（ｂ）の側面図、及び図２の斜視図に示すように、チェース型番号器Ｂを１個ずつ上方より嵌入可能な矩形状枠体Ａからなり、一対の対向する側面板１、２を備え、該側面板１、２と直交方向に対向して連設した側面板３、４を備えている。
【００１４】
番号器Ｂは、図１（ａ）〜（ｂ）に示すように、矩形状の外側フレーム２１、２２、２３、２４と底板部（図示せず）とによるフレーム内に、その対向する一対の外側フレーム２２、２４に軸受けされた中心Ｏを通る支軸２５に回転可能に軸支された複数桁の字輪２６と、各字輪２６の一側面に一体に設けたラチェット歯２６ａを備え、該字輪２６の外側には支軸２５に平行なラチェット爪支持杆２７を備え、該支持杆２７には複数の各字輪２６を３６０°／１０（字輪２６の外周面に突設した各数字０、１、２、３、４、５、６、７、８、９の活字）ずつ回転させるためのラチェット歯２６ａに係合する複数のラチェット爪２８を備え、該支持杆２７は外側フレーム２４より外側に突出して設けた字輪を回転させる番号輪ラチェット爪動作杆２９を備えている。
【００１５】
図２の斜視図に示すように、矩形状枠体Ａの側面板１、２のいずれか一方若しくは両方にはネジ孔８が設けられ、該ネジ孔８にはネジ９が螺着される。
【００１６】
また矩形状枠体Ａの側面板３には水平方向に蟻溝部５が設けられていて、直線状の蟻バー部１１をスライド可能に嵌着（嵌挿）でき、側面板４には番号輪ラチェット爪動作杆２９を嵌挿するための空間部４ａが設けられている。
【００１７】
上記蟻バー部１１には、必要な個数の矩形状枠体Ａを、その蟻溝部５を蟻バー部１１に嵌着して一列に配列して取り付けた後、図３に示す従来技術と同様に作業台の金属定盤上に載置されているチェースＣの各枠体７１、７１、７２、７３で囲まれた矩形状の枠体部内の定盤上に，各々矩形状枠体Ａの各側面板１、２、３、４下端面が接するように載置し、蟻バー部１１の両端を対向する枠体７２、７３の取り付け用溝部７２ａ、７４にブラケット１１ａを介してネジ１１ｂにて取り付けることにより、各々矩形状枠体ＡをチェースＣ内に固定する。
【００１８】
上記矩形状枠体Ａを取り付け固定して配列した蟻バー部１１は、必要な本数だけ用意し、その各々蟻バー部１１をチェースＣの対向する両端枠部（枠体７２、７３）に同様にして取り付け、各々矩形状枠体ＡをチェースＣ内に固定する。
【００１９】
次に、上記チェースＣ内に取り付け固定された各矩形状枠体Ａ内に、その矩形状サイズより小さいサイズの各番号器Ｂを１個ずつ、上方より定盤面にゆるく落とし込むようにして載置する。これにより、各々番号器Ｂは、その下端面を定盤面に密着させて載置される。
【００２０】
次に、各々矩形状枠体Ａの対向する側面板１、２のいずれか一方に設けたネジ孔８にネジ９を螺着し、そのネジ９と対向する側面板との間で番号器Ｂを一旦、締め付け固定して各々矩形状枠体Ａ内に番号器Ｂを取り付ける。
【００２１】
次に、チェースＣ内に配列固定された各矩形状枠体Ａ内に取り付けられた各番号器Ｂの枠体Ａの蟻溝部５と対向する側面部側に突出して設けられた字輪回転用のラチェット爪動作杆２９に、図４に示す従来の技術と同様に、該動作杆２９を１列毎に一度に１ストローク動作させるためのシフト杆１５を、蟻バー部１１と平行に配置して、そのシフト杆１５に沿って位置の移動調整とネジ１８にて固定が可能な動作鉤１６の嵌着部１７内に嵌着し、該シフト杆１５の一端部をブラケット１５ａを介して可動枠体７５の溝部７６に取り付け固定する。
【００２２】
次に、作業台上の番号機Ｂを取り付け固定したチェースＣを、図５に示す従来の技術と同様に印刷機の版定盤４２上に移載し、版定盤４２に設けたチェースＣを装着するチャック機構によりチェースＣを版定盤４２上に装着固定する。
【００２３】
次に、図５に示す版定盤４２上に装着固定されたチェースＣ内に各々蟻バー部１１により嵌着配列された各矩形状枠体Ａを、番号印刷仕様位置（番号印刷すべき位置）に、その蟻バー部１１に沿って移動調整して位置決めした後、図２に示す各矩形状枠体Ａの固定ネジ孔６内にネジ７を螺着して、蟻バー部１１に矩形状枠体Ａを固定する。
【００２４】
次に、チェースＣ内に固定された上記各々矩形状枠体Ａの番号器Ｂを一旦締め付け固定していた締め付けネジ９を緩め、番号器Ｂを矩形状枠体Ａに対して解放し、番号器Ｂを印刷機の版定盤４２上に落とし込み、番号器Ｂ下端面と版定盤４２上面との間の隙間を解消して密着性を得る。そして、各々矩形状枠体Ａの締め付けネジ９を再度、螺着して、番号器Ｂを矩形状枠体Ａ内に締め付け固定する。
【００２５】
このようにして、番号器Ｂの下端面と印刷機の版定盤４２上面との間の隙間を解消して密着状態を良好にして、チェース型番号器Ｂを印刷機の版定盤４２上に取り付けることができ、図５に示すチェースＣを載置する一般的な円圧式凸版印刷機の圧胴４１と版定盤４２面上の各番号器Ｂの字輪２６との間の印圧の不安定を解消して、従来の技術と同様の上記印刷機の動作と、チェースＣのプッシャー７９と印刷機のストッパー８１との動作により、印刷用紙Ｐに対して番号印刷を行うものである。
【００２６】
【発明の効果】
本発明のチェース型番号器取付用ホルダーは、蟻バー部に矩形状枠体を嵌着固定し、蟻バー部に対して矩形状枠体を介して番号器を間接的に嵌着固定して版定盤面に各々番号器を配列固定する方式であるため、蟻バー部の長手方向下端と平坦な版定盤面との密着状態を調整することなく、また蟻バー部に固定配列された番号器Ｂは、矩形状枠体に締め付けて取り付け固定される方式であるため、番号器を矩形状枠体による締め付け状態から解放して、番号器を単に版定盤面上に落とし込むことにより、容易に番号器の下端面と版定盤面との良好な密着性が得られ、番号器Ｂの下端面と版定盤４２面との間に発生する隙間を解消できる効果があり、圧胴と版定盤面上の各番号器Ｂの字輪との間の印圧を安定化できる効果がある。
【００２７】
このような簡単な操作により、各番号器の下端面と版定盤面との密着不良を解消できるため、印刷機上での密着不良の修正作業を大幅に効率化でき、修正作業の時間と労力を省力化でき、印刷機上での密着不良修正作業の時間と労力を大幅に軽減できる効果がある。
【図面の簡単な説明】
【図１】（ａ）は本発明のチェース型番号器取付用ホルダーを説明する上面図、（ｂ）はその側面図。
【図２】本発明のチェース型番号器取付用ホルダーの矩形状枠体を説明する斜視図。
【図３】（ａ）はチェース型番号器を取り付けるチェースの全体斜視図、（ｂ）はその側面図。
【図４】従来のチェース型番号器の取り付け構造を説明する斜視図。
【図５】チェース型番号器により番号印刷を行う一般的な印刷機の概要側面図。
【符号の説明】
Ａ…矩形状枠体  Ｂ…チェース型番号器  Ｃ…チェース
１、２、３、４…枠体  ５…蟻溝部  ６…ネジ孔  ７…固定用ネジ
８…ネジ孔  ９…締め付け用ネジ
１１…蟻バー部  １５…シフト杆
２１、２２、２３、２４…外側フレーム  ２５…回転支軸  ２６…字輪
２７…ラチェット爪動作杆  ２８…ラチェット爪
２９…字輪回転用ラチェット爪動作杆
７１、７２、７３…枠体  ７５…可動枠体  ７５ａ…バネ  ７７…シフトアーム
７９…プッシャー  ８１…ストッパー
【図１】
2004249472.tif 000003
【図２】
2004249472.tif 000004
【図３】
2004249472.tif 000005
【図４】
2004249472.tif 000006
【図５】
2004249472.tif 000007